(57)【要約】【課題】肌への刺激が少なく、かつ、着用時にずれにくく快適な着心地の下着を提供する。【解決手段】本発明を適用した下着の一例であるブラジャー１は、本体２と、左右一対のサイドベルト３と、左右一対のカップ４と、２本のストラップ５を備えている。また、ブラジャー１は、カップ４に胸を包み込み、ストラップ５を両肩にかけて、サイベルト３の端部同士を接合することで体に装着される。また、本体２、サイドベルト３及びカップ４の肌側の面はオーガニックコットンで形成されている。【選択図】図１
2014181412.tif 000002
【特許請求の範囲】
【請求項１】
本体と、
該本体の一方の端部に同本体との縫いしろが外側に位置して縫製された第１のサイドベルトと、
前記本体の他方の端部に同本体との縫いしろが外側に位置して縫製され、かつ、前記第１のサイドベルトの前記本体と縫製された側とは反対側の端部と接合可能な第２のサイドベルトと、
前記本体の一部に同本体との縫いしろが外側に位置して縫製され、かつ、前記本体の略中央領域を中心として設けられた一対のカップと、
前記本体の前記カップとは略対向する側に設けられると共に、前記本体の外側に縫製された伸縮性を有する本体ゴム部と、
前記第１のサイドベルト及び前記第２のサイドベルトの縁部、かつ、前記本体ゴム部の略延長線上に位置すると共に、前記第１のサイドベルト及び前記第２のサイドベルトの外側に縫製された伸縮性を有する第１のサイドゴム部と、
該第１のサイドゴム部と略対向する側に位置すると共に、前記第１のサイドベルト及び前記第２のサイドベルトの外側に縫製された伸縮性を有する第２のサイドゴム部とを備える
下着。
【請求項２】
本体と、
該本体の一方の端部から延出した第１のサイドベルトと、
前記本体の他方の端部から延出し、かつ、前記第１のサイドベルトの端部と接合可能な第２のサイドベルトと
前記本体の一部に同本体との縫いしろが外側に位置して縫製され、かつ、前記本体の略中央領域を中心として設けられた一対のカップと、
前記本体の前記カップとは略対向する側に設けられると共に、前記本体の外側に縫製された伸縮性を有する本体ゴム部と、
前記第１のサイドベルト及び前記第２のサイドベルトの縁部、かつ、前記本体ゴム部の略延長線上に位置すると共に、前記第１のサイドベルト及び前記第２のサイドベルトの外側に縫製された伸縮性を有する第１のサイドゴム部と、
該第１のサイドゴム部と略対向する側に位置すると共に、前記第１のサイドベルト及び前記第２のサイドベルトの外側に縫製された伸縮性を有する第２のサイドゴム部とを備える
下着。
【請求項３】
一端が前記カップの外側、かつ、他端が前記第１のサイドベルトまたは前記第２のサイドベルトの外側に取付けられた伸縮性を有する２本のストラップと、
該ストラップを被覆した伸縮性を有するストラップ保護部とを備える
請求項１または請求項２に記載の下着。
【請求項４】
前記本体の略中央領域を中心として前記カップ同士の略対称な位置、または、同本体の略対称な二点の位置から延出すると共に、端部同士が前記本体の略中央領域で結び目を形成可能な一対のテープを備える
請求項１、請求項２または請求項３に記載の下着。
【請求項５】
前記本体は、略中央領域の内部に間隙を有すると共に、該間隙と連通した切れ目が形成された
請求項１、請求項２、請求項３または請求項４に記載の下着。
【請求項６】
前記本体と前記第１のサイドベルトまたは前記第２のサイドベルトは折り伏せ縫いで縫製され、かつ、折り伏せ縫いで縫製された領域が少なくとも１回縫製された
請求項１に記載の下着。
【請求項７】
前記本体ゴム部、前記第１のサイドゴム部及び前記第２のサイドゴム部は、外側に取付けられた外布部を有する
請求項１、請求項２、請求項３、請求項４、請求項５または請求項６に記載の下着。
【請求項８】
前記第１のサイドベルト及び前記第２のサイドベルトの端部同士は雌雄型のホックで接合され、かつ、雄型のホックが設けられた端部は丸みを帯びた形状を有する
請求項１、請求項２、請求項３、請求項４、請求項５、請求項６または請求項７に記載の下着。
【請求項９】
前記カップは、略中央の領域が外側に向けて膨出したパット部を有する
請求項１、請求項２、請求項３、請求項４、請求項５、請求項６、請求項７または請求項８に記載の下着。
【請求項１０】
前記本体、前記第１のサイドベルト、前記第２のサイドベルト及び前記カップの内側は木綿で形成された
請求項１、請求項２、請求項３、請求項４、請求項５、請求項６、請求項７、請求項８または請求項９に記載の下着。
【請求項１１】
略中央領域が分離及び接合可能、かつ、略中央領域の内側に所定の布が配置された本体と、
該本体の両端に同本体との縫いしろが外側に位置して縫製され、かつ、略中央領域が接合した本体と共に環状を形成するサイドベルトと、
前記本体の一部に同本体との縫いしろが外側に位置して縫製され、かつ、前記本体の略中央領域を中心として設けられた一対のカップと、
前記本体の前記カップとは略対向する側に設けられると共に、外側に縫製された伸縮性を有する本体ゴム部と
前記サイドベルトの縁部、かつ、前記本体ゴム部の略延長線上に位置すると共に、前記サイドベルトの外側に縫製された伸縮性を有する第１のサイドゴム部と、
該第１のサイドゴム部と略対向する側に位置すると共に、前記サイドベルトの外側に縫製された伸縮性を有する第２のサイドゴム部とを備える
下着。
【請求項１２】
略中央領域が分離及び接合可能、かつ、略中央領域の内側に所定の布が配置された本体と、
該本体の両端から延出し、かつ、略中央領域が接合した本体と共に環状を形成するサイドベルトと、
前記本体の一部に同本体との縫いしろが外側に位置して縫製され、かつ、前記本体の略中央領域を中心として設けられた一対のカップと、
前記本体の前記カップとは略対向する側に設けられると共に、外側に縫製された伸縮性を有する本体ゴム部と
前記サイドベルトの縁部、かつ、前記本体ゴム部の略延長線上に位置すると共に、前記サイドベルトの外側に縫製された伸縮性を有する第１のサイドゴム部と、
該第１のサイドゴム部と略対向する側に位置すると共に、前記サイドベルトの外側に縫製された伸縮性を有する第２のサイドゴム部とを備える
下着。
【請求項１３】
縫いしろが外側に縫製された、襟ぐり、袖ぐり、脇線及び裾部を有する本体と、
該本体の外側に両端部が取付けられた２本のストラップと、
該ストラップを被覆するストラップ保護部とを備える
下着。
【請求項１４】
前記本体は、前記ストラップ同士の略中央の位置、かつ、同本体の襟ぐりから裾部方向に向けて切れ目が形成されると共に、該切れ目が形成された領域と略対向する領域に前記本体との間に空間を形成するループ部とを有する
請求項１３に記載の下着。
【発明の詳細な説明】
【技術分野】
【０００１】
本発明は、下着に関する。詳しくは肌への刺激が少なく、かつ、着用時にずれにくく快適な着心地の下着に係るものである。
【背景技術】
【０００２】
下着は衛生維持や、体形を美しく見せる目的で着用する衣類であり、肌に直接着用して用いられるものである。特に、体の線を整えることで服装のシルエットを形作る下着はファウンデーションと呼ばれ、代表的なものとしてブラジャーが存在する。
【０００３】
また、下着によって自分の体を綺麗に見せたいという要望は多くの人が有するものであり、とりわけ、女性にとっては重要な衣類である。このような要望から、体形補正用の下着が種々開発され、提案されてきた。
【０００４】
また、下着は肌に直接触れるものであることから、見栄えの問題もさることながら、肌への負担が少ない点も重要である。具体的には、長時間着用しても、肌に刺激や痛みを感じにくいという点が大きな要望となっている。
【０００５】
特に、敏感肌の人や生まれつき肌の弱い人にとっては、意匠性に優れる下着であっても、肌に痛みを伴う場合には、その下着は敬遠されがちになってしまう。
【０００６】
また、下着の中でもブラジャーは構成部材が多いことから、刺激や痛みに対する不満が数多く生じている。ブラジャーの着用による痛みの要因の１つとして、胸を支えるカップの下に設けられたワイヤーの存在が挙げられる。
【０００７】
ワイヤーは、カップの下端に沿って胸を持ち上げ、形を維持するための役割を果たす。しかしながら、ワイヤーそのものが金属等の硬い材質により形成されることから、使用時に肌に食い込み、着用者に大きな負担を与える。
【０００８】
一方で、痛みを回避するためのワイヤーなしのブラジャーも存在する。このブラジャーはワイヤーによる肌への食い込みがなく、ある程度快適に着用することができる。しかし、長時間着用すると、カップが少しずつ摺り上がり、位置がずれ、胸の形が崩れてしまうという欠点があった。
【０００９】
こうしたなか、ワイヤーを用いることなく、胸の形を整えることが可能なブラジャーが存在し、例えば、特許文献１に記載のブラジャーが提案されている。
【００１０】
ここで、特許文献１には、図９に示すようなブラジャー１００が記載されている。ブラジャー１００は、伸縮性のある布地で構成された左右一対のカップ１０１と、カップ１０１の下端外周縁に沿って設けられた土台布１０２を有している。
【００１１】
また、ブラジャー１００は、カップ１０１の下端外周縁及び土台布１０２に縫合されたメッシュテープ１０３を有している。また、メッシュテープ１０３の土台布１０２側には、伸縮性のある紐状部材１０４が縫合されている。
【００１２】
ブラジャー１００では、土台布１０２とメッシュテープ１０３との縫合部分により胸の形が保たれる。また、長時間着用しても、胸はメッシュテープ１０３により柔軟性をもって保持され、カップの摺り上がりは紐状部材１０４により抑えられるものとなっている。
【先行技術文献】
【特許文献】
【００１３】
【特許文献１】特開２０１０―２７５６６０号公報
【発明の概要】
【発明が解決しようとする課題】
【００１４】
しかしながら、特許文献１に記載されたブラジャーは、ワイヤーの痛みには対応しているものの、カップやベルトの縫いしろの位置までは考慮されていない。即ち、肌側の面に存在する布同士の縫いしろ、いわゆる「縫い目の段差」により、肌への刺激や痛みが生じるものとなっている。
【００１５】
この縫い目の段差による肌への刺激は、ブラジャーに限られたものではなく、布が縫製され、かつ、肌に直接接触する下着類においては、共通した問題である。
【００１６】
また、特許文献１に記載されたブラジャーは、肩に付けるストラップにより肌への刺激を生じるおそれがある。従来のブラジャーも含め、ストラップはブラジャーをしっかりと体に装着させるために伸縮性のあるゴムで形成されることが多い。このゴムが皮膚に接触して、縮んだ際にゴムとの摩擦により皮膚が引っ張られて刺激を生じ、肌の弱い人は痛みを感じることとなる。
【００１７】
また、従来のブラジャーの中には、ストラップのゴムを形成する細いゴム繊維に、さらに細いコットンを巻き付け、肌感触性がよいコットンにより刺激を減らそうとしたものも存在する。しかし、ストラップのゴムの伸縮により、細いゴム繊維も伸縮し、結局は肌への刺激につながってしまう。
【００１８】
さらに、従来のブラジャーでは、カップ下のベルト部分や、着用者の脇から背中にかけて接触するサイドベルトの部分にもゴムが設けられている。このゴムもやはり、肌への刺激や痛みを生じさせる原因の１つとなっている。
【００１９】
また、ブラジャーには、カップから脇側へ３ｃｍ程の位置にボーンと呼ばれる芯を入れることがある。ボーンは主にプラスチックで形成され、胸の肉が脇側に流れにくくして、胸の形を整えている。ワイヤーと同様、このボーンも硬い材質で形成されることから、痛みの原因となってしまう。
【００２０】
特許文献１に記載のブラジャーを含めて、ワイヤーやボーンを除いたブラジャーは、胸の形を整え、下着をずれにくくするため、体への締めつけを重視している。しかし結局は、前述したように、縫い目の段差やゴムの存在により肌への刺激が避けられないものとなっている。
【００２１】
このように、下着としての補正効果を保ちつつ、肌への刺激や痛みが少ないものが望まれつつも、充分な配慮がなされていない現状が存在している。
【００２２】
本発明は、以上の点に鑑みて創案されたものであり、肌への刺激が少なく、かつ、着用時にずれにくく快適な着心地の下着を提供することを目的とする。
【課題を解決するための手段】
【００２３】
上記の目的を達成するために、本発明の下着は、本体と、該本体の一方の端部に同本体との縫いしろが外側に位置して縫製された第１のサイドベルトと、前記本体の他方の端部に同本体との縫いしろが外側に位置して縫製され、かつ、前記第１のサイドベルトの前記本体と縫製された側とは反対側の端部と接合可能な第２のサイドベルトと、前記本体の一部に同本体との縫いしろが外側に位置して縫製され、かつ、前記本体の略中央領域を中心として設けられた一対のカップと、前記本体の前記カップとは略対向する側に設けられると共に、前記本体の外側に縫製された伸縮性を有する本体ゴム部と、前記第１のサイドベルト及び前記第２のサイドベルトの縁部、かつ、前記本体ゴム部の略延長線上に位置すると共に、前記第１のサイドベルト及び前記第２のサイドベルトの外側に縫製された伸縮性を有する第１のサイドゴム部と、該第１のサイドゴム部と略対向する側に位置すると共に、前記第１のサイドベルト及び前記第２のサイドベルトの外側に縫製された伸縮性を有する第２のサイドゴム部とを備える。
【００２４】
ここで、第１のサイドベルトが、本体の一方の端部に本体との縫いしろが外側に位置して縫製されたことによって、本体と第１のサイドベルトの縫い合わせた部分が肌に接触する面に存在しないこととなる。即ち、縫い目の段差による肌への刺激や痛みが生じにくくなる。なお、ここでいう外側とは、肌に直接接触する領域以外の領域を意味している。
【００２５】
また、第２のサイドベルトが、本体の他方の端部に本体との縫いしろが外側に位置して縫製されたことによって、本体と第２のサイドベルトの縫い合わせた部分が肌に接触する面に存在しないこととなる。即ち、第１のサイドベルトと同様に、縫い目の段差による肌への刺激や痛みが生じにくくなる。
【００２６】
また、第１のサイドベルトの本体と縫製された側とは反対側の端部と接合可能な第２のサイドベルトによって、第１のサイドベルト及び第２のサイドベルトを接合することで下着を体に装着することが可能となる。
【００２７】
また、カップが、本体の一部に本体との縫いしろが外側に位置して縫製されたことによって、本体とカップの縫い合わせた部分が肌に接触する面に存在しないこととなる。即ち、縫い目の段差による肌への刺激や痛みが生じにくくなる。
【００２８】
また、本体ゴム部が、本体の外側に縫製されたことによって、ゴムが肌に接触する面に存在しないこととなる。即ち、ゴムによる肌への刺激や痛みが生じにくくなる。
【００２９】
また、本体のカップとは略対向する側に設けられると共に、伸縮性を有する本体ゴム部によって、着用時の下着の位置をずれにくくすることができる。即ち、本体ゴム部が伸縮し、カップの下端を胸の下に巻き付けて、胸の形をきれいに保つことができる。
【００３０】
また、第１のサイドゴム部が、第１のサイドベルト及び第２のサイドベルトの外側に縫製されたことによって、ゴムが肌に接触する面に存在しないこととなる。即ち、ゴムによる肌への刺激や痛みが生じにくくなる。
【００３１】
また、第１のサイドベルト及び第２のサイドベルトの縁部、かつ、本体ゴム部の略延長線上に位置すると共に、伸縮性を有する第１のサイドゴム部によって、着用時の下着の位置をずれにくくすることができる。即ち、第１のサイドゴム部が伸縮し、第１のサイドベルト及び第２のサイドベルトを体の脇から背中にかけてしっかりと巻き付けて、胸の形をきれいに保つことができる。
【００３２】
また、第２のサイドゴム部が、第１のサイドベルト及び第２のサイドベルトの外側に縫製されたことによって、ゴムが肌に接触する面に存在しないこととなる。即ち、第１のサイドゴム部と同様に、ゴムによる肌への刺激や痛みが生じにくくなる。
【００３３】
また、第１のサイドゴム部と略対向する側に位置すると共に、伸縮性を有する第２のサイドゴム部によって、着用時の下着の位置をずれにくくすることができる。即ち、第２のサイドゴム部が伸縮し、第１のサイドベルト及び第２のサイドベルトを体の脇から背中にかけてしっかりと巻き付けて、胸の形をきれいに保つことができる。
【００３４】
また、上記の目的を達成するために、本発明の下着は、本体と、該本体の一方の端部から延出した第１のサイドベルトと、前記本体の他方の端部から延出し、かつ、前記第１のサイドベルトの端部と接合可能な第２のサイドベルトと前記本体の一部に同本体との縫いしろが外側に位置して縫製され、かつ、前記本体の略中央領域を中心として設けられた一対のカップと、前記本体の前記カップとは略対向する側に設けられると共に、前記本体の外側に縫製された伸縮性を有する本体ゴム部と、前記第１のサイドベルト及び前記第２のサイドベルトの縁部、かつ、前記本体ゴム部の略延長線上に位置すると共に、前記第１のサイドベルト及び前記第２のサイドベルトの外側に縫製された伸縮性を有する第１のサイドゴム部と、該第１のサイドゴム部と略対向する側に位置すると共に、前記第１のサイドベルト及び前記第２のサイドベルトの外側に縫製された伸縮性を有する第２のサイドゴム部とを備える。
【００３５】
ここで、第１のサイドベルトの端部と接合可能な第２のサイドベルトによって、第１のサイドベルト及び第２のサイドベルトを接合することで下着を体に装着することが可能となる。
【００３６】
また、カップが、本体の一部に本体との縫いしろが外側に位置して縫製されたことによって、本体とカップの縫い合わせた部分が肌に接触する面に存在しないこととなる。即ち、縫い目の段差による肌への刺激や痛みが生じにくくなる。
【００３７】
また、本体ゴム部が、本体の外側に縫製されたことによって、ゴムが肌に接触する面に存在しないこととなる。即ち、ゴムによる肌への刺激や痛みが生じにくくなる。
【００３８】
また、本体のカップとは略対向する側に設けられると共に、伸縮性を有する本体ゴム部によって、着用時の下着の位置をずれにくくすることができる。即ち、本体ゴム部が伸縮し、カップの下端を胸の下に巻き付けて、胸の形をきれいに保つことができる。
【００３９】
また、第１のサイドゴム部が、第１のサイドベルト及び第２のサイドベルトの外側に縫製されたことによって、ゴムが肌に接触する面に存在しないこととなる。即ち、ゴムによる肌への刺激や痛みが生じにくくなる。
【００４０】
また、第１のサイドベルト及び第２のサイドベルトの縁部、かつ、本体ゴム部の略延長線上に位置すると共に、伸縮性を有する第１のサイドゴム部によって、着用時の下着の位置をずれにくくすることができる。即ち、第１のサイドゴム部が伸縮し、第１のサイドベルト及び第２のサイドベルトを体の脇から背中にかけてしっかりと巻き付けて、胸の形をきれいに保つことができる。
【００４１】
また、第２のサイドゴム部が、第１のサイドベルト及び第２のサイドベルトの外側に縫製されたことによって、ゴムが肌に接触する面に存在しないこととなる。即ち、第１のサイドゴム部と同様に、ゴムによる肌への刺激や痛みが生じにくくなる。
【００４２】
また、第１のサイドゴム部と略対向する側に位置すると共に、伸縮性を有する第２のサイドゴム部によって、着用時の下着の位置をずれにくくすることができる。即ち、第２のサイドゴム部が伸縮し、第１のサイドベルト及び第２のサイドベルトを体の脇から背中にかけてしっかりと巻き付けて、胸の形をきれいに保つことができる。
【００４３】
また、２本のストラップが、一端がカップの外側、かつ、他端が第１のサイドベルトまたは第２のサイドベルトの外側に取付けられた場合には、ストラップの取付け部分が肌に接触する面に存在しないこととなる。即ち、ストラップの取付け部分による肌への刺激や痛みが生じにくくなる。
【００４４】
また、２本のストラップが、一端がカップの外側、かつ、他端が第１のサイドベルトまたは第２のサイドベルトの外側に取付けられた伸縮性を有する場合には、着用時の下着の位置をずれにくくすることができる。即ち、ストラップが伸縮し、下着を両肩の位置でも固定して着用状態を保持することができる。
【００４５】
また、ストラップ保護部がストラップを被覆した場合には、ストラップの伸縮力で生じる肩の皮膚での刺激や痛みが生じにくくなる。例えば、ストラップが伸縮力の強いゴム素材で形成された際にも、ゴムが肌に直接接触せず、刺激や痛みを減らすことができる。
【００４６】
また、ストラップ保護部が伸縮性を有する場合には、ストラップの伸縮力が損なわれにくくなり、着用時の下着の位置をずれにくくすることができる。例えば、ストラップ保護部を、伸縮性を有するコットン素材で形成した際には、ストラップの伸縮性の担保と肌への刺激の低減の両方を実現することができる。
【００４７】
また、本体の略中央領域を中心としてカップ同士の略対称な位置、または、本体の略対称な二点の位置から延出すると共に、端部同士が本体の略中央領域で結び目を形成可能な一対のテープを備える場合には、下着の装着性を向上させることができる。即ち、個人差のある胸の開きに対応して、テープで左右のカップを引き寄せ、適度な装着具合に調節することが可能となる。
【００４８】
また、本体が、略中央領域の内部に間隙を有すると共に、間隙と連通した切れ目が形成された場合には、左右のカップの間にパッドを入れることができる。即ち、下着のずれの要因となる、下着と体の間に生じる空間を埋め、下着をより一層ずれにくいものにすることができる。
【００４９】
また、本体と第１のサイドベルトまたは第２のサイドベルトは折り伏せ縫いで縫製され、かつ、折り伏せ縫いで縫製された領域が少なくとも１回縫製された場合には、胸の形を崩れにくいものにすることができる。即ち、本体と第１のサイドベルト及び第２のサイドベルトの縫製領域が補強され、胸の肉が脇側に流れにくくなる芯材の役割を果たし、胸の形をきれいに保つことができる。
【００５０】
また、本体ゴム部、第１のサイドゴム部及び第２のサイドゴム部が、外側に取付けられた外布部を有する場合には、各ゴムの外側にも布が位置することとなる。即ち、着用時に下着の一部が肌側に裏返ってしまった際にも、肌にゴムが直接触れることがなくなり、より一層ゴムによる刺激や痛みが生じにくいものにすることができる。
【００５１】
また、第１のサイドベルト及び第２のサイドベルトの端部同士は雌雄型のホックで接合され、かつ、雄型のホックが設けられた端部は丸みを帯びた形状を有する場合には、下着をより一層、皮膚への刺激や痛みが生じにくいものにすることができる。即ち、雄型ホックを設けたサイドベルトの端部が皮膚にあたった場合にも、端部が丸みを帯びた形状であるため、刺激や痛みを少ないものにできる。
【００５２】
また、カップが、略中央の領域が外側に向けて膨出したパット部を有する場合には、胸の形を保ちやすくすることができる。即ち、パット部の形状に胸が収まり、ワイヤーがなくても胸の形をきれいに整えることが可能となる。
【００５３】
また、本体、第１のサイドベルト、第２のサイドベルト及びカップの内側は木綿で形成された場合には、下着をより一層、皮膚への刺激や痛みが生じにくいものにすることができる。即ち、肌に接触する部分が木綿で形成されることで肌感触性がよくなり、長時間の着用にも適したものとなる。
【００５４】
また、上記の目的を達成するために、本発明の下着は、略中央領域が分離及び接合可能、かつ、略中央領域の内側に所定の布が配置された本体と、該本体の両端に同本体との縫いしろが外側に位置して縫製され、かつ、略中央領域が接合した本体と共に環状を形成するサイドベルトと、前記本体の一部に同本体との縫いしろが外側に位置して縫製され、かつ、前記本体の略中央領域を中心として設けられた一対のカップと、前記本体の前記カップとは略対向する側に設けられると共に、外側に縫製された伸縮性を有する本体ゴム部と前記サイドベルトの縁部、かつ、前記本体ゴム部の略延長線上に位置すると共に、前記サイドベルトの外側に縫製された伸縮性を有する第１のサイドゴム部と、該第１のサイドゴム部と略対向する側に位置すると共に、前記サイドベルトの外側に縫製された伸縮性を有する第２のサイドゴム部とを備える。
【００５５】
ここで、略中央領域が分離及び接合可能な本体と、本体の両端に縫製され、かつ、略中央領域が接合した本体と共に環状を形成するサイドベルトによって、下着を体に装着することが可能となる。即ち、体の前方で下着を接合する、いわゆるフロントホック型のブラジャーとして使用することができる。
【００５６】
また、略中央領域が分離及び接合可能、かつ、略中央領域の内側に所定の布が配置された本体によって、本体の接合部分が直接肌に触れにくいものにすることができる。例えば、分離と接合に雌雄型のホック部を用いた際には、ホックの金具が肌に当たりにくくなり、刺激や痛みが生じにくくなる。
【００５７】
また、サイドベルトが、本体の両端に本体との縫いしろが外側に位置して縫製されたことによって、本体とサイドベルトの縫い合わせた部分が肌に接触する面に存在しないこととなる。即ち、縫い目の段差による肌への刺激や痛みが生じにくくなる。
【００５８】
また、上記の目的を達成するために、本発明の下着は、略中央領域が分離及び接合可能、かつ、略中央領域の内側に所定の布が配置された本体と、該本体の両端から延出し、かつ、略中央領域が接合した本体と共に環状を形成するサイドベルトと、前記本体の一部に同本体との縫いしろが外側に位置して縫製され、かつ、前記本体の略中央領域を中心として設けられた一対のカップと、前記本体の前記カップとは略対向する側に設けられると共に、外側に縫製された伸縮性を有する本体ゴム部と前記サイドベルトの縁部、かつ、前記本体ゴム部の略延長線上に位置すると共に、前記サイドベルトの外側に縫製された伸縮性を有する第１のサイドゴム部と、該第１のサイドゴム部と略対向する側に位置すると共に、前記サイドベルトの外側に縫製された伸縮性を有する第２のサイドゴム部とを備える。
【００５９】
ここで、略中央領域が分離及び接合可能な本体と、本体の両端に縫製され、かつ、略中央領域が接合した本体と共に環状を形成するサイドベルトによって、下着を体に装着することが可能となる。即ち、体の前方で下着を接合する、いわゆるフロントホック型のブラジャーとして使用することができる。
【００６０】
また、上記の目的を達成するために、本発明の下着は、縫いしろが外側に縫製された、襟ぐり、袖ぐり、脇線及び裾部を有する本体と、該本体の外側に両端部が取付けられた２本のストラップと、該ストラップを被覆するストラップ保護部とを備える。
【００６１】
ここで、本体が、縫いしろが外側に縫製された、襟ぐり、袖ぐり、脇線及び裾部を有することによって、襟ぐり、袖ぐり、脇線及び裾部の各箇所の縫い合わせた部分が肌に接触する内側に存在しないこととなる。即ち、縫い目の段差による肌への刺激や痛みが生じにくくなる。
【００６２】
また、２本のストラップが、本体の外側に両端部が取付けられたことによって、肌に刺激を与えるストラップの取付け部分が肌に接触する内側に存在しないこととなる。即ち、ストラップの取付け部分による肌への刺激や痛みが生じにくくなる。
【００６３】
また、ストラップを被覆したストラップ保護部によって、皮膚の刺激や痛みを生じにくいものにできる。例えば、ストラップが伸縮力の強いゴム素材で形成された際にも、ゴムが肌に直接接触せず、刺激や痛みを減らすことができる。
【００６４】
また、本体のストラップ同士の略中央の位置、かつ、本体の襟ぐりから裾部方向に向けて切れ目が形成された場合には、本体の襟ぐり近傍の領域を外側に向けて折り返すことが可能となる。例えば、下着の上に既存のブラジャーを着用した際に、本体の襟ぐり近傍の領域をブラジャーの上端に重ねることができる。このことによって、既存のブラジャーの肌側の面が、着用者の皮膚に直接触れることがなくなり、さらに、胸元を美しく見せることができる。
【００６５】
また、本体が、切れ目が形成された領域と略対向する領域に本体との間に空間を形成するループ部とを有する場合には、本体とループ部の間にベルト状のものを通すことが可能となる。即ち、下着の上に既存のブラジャーを着用した際に、背中側のベルトをループ部に通して、ブラジャーの位置をずれにくくすることができる。
【発明の効果】
【００６６】
本発明に係る下着は、肌への刺激が少なく、かつ、着用時にずれにくく快適な着心地の下着となっている。
【図面の簡単な説明】
【００６７】
【図１】本発明を適用した下着の一例を示す概略図である。
【図２】サイドベルトの肌側の面を示す概略図（ａ−１）及びＡ−Ａ断面図（ａ−２）、並びに、サイドベルトの外側の面を示す概略図（ｂ−１）及びＢ−Ｂ断面図（ｂ−２）である。
【図３】本体の肌側の面を示した概略図である。
【図４】本体の外側の面を示した概略図である。
【図５】ストラップの構造の一例を示した概略図（ａ）及びストラップの構造の他の例を示した概略図（ｂ）である。
【図６】立体裁断のパット部を示した概略図（ａ）及びギャザーを設けたパット部を示した概略図（ｂ）である。
【図７】ゴムの縫い付け構造を示した概略図（ａ〜ｃ）である。
【図８】本発明を適用した下着の一例の前面を示す概略図（ａ）及び背面を示す概略図（ｂ）である。
【図９】従来の下着の概略図である。
【発明を実施するための形態】
【００６８】
以下、下着に関する本発明の実施の形態について図面を参照しながら説明し、本発明の理解に供する。
図１は、本発明を適用した下着の一例を示す概略図である。図２は、サイドベルトの肌側の面を示す概略図（ａ−１）及びＡ−Ａ断面図（ａ−２）、並びに、サイドベルトの外側の面を示す概略図（ｂ−１）及びＢ−Ｂ断面図（ｂ−２）である。図３は、本体の肌側の面を示した概略図である。図４は、本体の外側の面を示した概略図である。図５は、ストラップの一例を示した概略図（ａ）及びストラップの他の例を示した概略図（ｂ）である。図６は、立体裁断のパット部を示した概略図（ａ）及びギャザーを設けたパット部を示した概略図（ｂ）である。図７は、ゴムの縫い付け構造を示した概略図（ａ〜ｃ）である。
【００６９】
ここで、図１に示すように、本発明を適用した下着の一例であるブラジャー１は、本体２と、左右一対のサイドベルト３と、左右一対のカップ４と、２本のストラップ５を備えている。
【００７０】
また、ブラジャー１は、カップ４に胸を包み込み、ストラップ５を両肩にかけて、サイベルト３の端部同士を接合することで体に装着される。また、本体２、サイドベルト３及びカップ４の肌側の面はオーガニックコットンで形成されている。
【００７１】
ここで、必ずしも、本体２、サイドベルト３及びカップ４の肌側の面がオーガニックコットンで形成される必要はない。但し、肌感触性がよく、刺激や痛みがより生じにくくなる点から、本体２、サイドベルト３及びカップ４の肌側の面がオーガニックコットンで形成されることが好ましい。また、その他の肌感触性のよい素材を用いることもできる。
【００７２】
図２では、着用者の脇から背中側にかけて装着されるサイドベルト３の構造を示している。サイドベルト３には、端部同士を接合する部材として雌雄型のフックが設けられている。図２（ａ−１）は、サイドベルトの肌側の面の構造であり、端部７には雄型のフック６が取付けられている。また、端部７は角がなく丸みを帯びた形状となっている。
【００７３】
また、端部７の近傍には、ストラップ５が取付けられており、肌側の面では、取付け部分と対応する領域に山形の布部８が設けられている。山形の布部８により、ストラップの取付け部分が肌に直接触れない構造となっている。
【００７４】
また、図２（ａ−２）は、Ａ−Ａ断面図であり、本発明を適用したブラジャー１でのゴムの取付け位置を示している。通常、サイドベルトの上端と下端には、ブラジャーを体にしっかりと装着させるために、伸縮力の強いゴムが取付けられる。ブラジャー１では、サイドベルト３の外側にゴム９が取付けられており、着用時にゴム９が肌に直接接触しない構造となっている。
【００７５】
一方、従来品（図示せず）では、サイドベルト３の肌側の面にゴム９が取付けられている。そのため、ゴム９が肌に直接接触することになり、刺激や痛みの原因となる。
【００７６】
また、図２（ｂ−１）に示すように、サイドベルト３の外側には、ストラップ５の端部２４の取付け部分として、ストラップタブ１０が取付けられている。ストラップタブ１０とストラップの端部２４に付けられた丸環１１によって、ストラップ５はサイドベルト３に固定されている。なお、図２（ｂ−２）は、ゴム９と布との位置関係を示したＢ−Ｂ断面図である。
【００７７】
ここで、必ずしも、端部同士を接合する部材として雌雄型のフックが設けられる必要はなく、接合可能であれば雌雄型のフックに限定されるものではない。但し、接合と分離が容易である点から、端部同士を接合する部材として雌雄型のフックが設けられることが好ましい。
【００７８】
また、必ずしも、雄型フック６の位置する端部７は角がなく丸みを帯びた形状とされる必要はない。但し、フックをサイドベルト端部同士の最も外側の位置で固定して、端部７が肌に触れた場合にも、刺激や痛みが少なくなる点から、雄型フック６の位置する端部７は角がなく丸みを帯びた形状とされることが好ましい。
【００７９】
また、必ずしも、サイドベルト３の肌側の面のストラップ５の取付け部分と対応する領域に山形の布部８が設けられる必要はない。但し、ストラップの取付け部分が肌に直接触れなくなり、刺激や痛みが生じにくくなる点から、サイドベルト３の肌側の面のストラップ５の取付け位置と対応する領域に山形の布部８が設けられることが好ましい。
【００８０】
また、必ずしも、ストラップ５の端部２４の取付け部分として、ストラップタブ１０及び丸環１１が採用される必要はない。ストラップを固定できれば充分であり、端部２４を直接縫い付ける構造とされてもよい。但し、端部２４を縫合して取付ける際には、肌への刺激を少なくする点から、縫い付け位置がサイドベルト３の外側とされることが好ましい。
【００８１】
図３には、本体２と、着用者の胸を包み込むカップ４の肌側の面の構造を示している。また、図３には、本体２とサイドベルト３、本体２とカップ４の縫製領域の拡大図を示している。
【００８２】
本体２の下端には、ブラジャー１を体にしっかりと装着させるために、ゴム１２が外側に取付けられている。また、本体２の略中央の領域には内部に間隙を有し、間隙と繋がった切れ目１３が形成され、三角パッド１４が内包されている。
【００８３】
本体２の内部の間隙に三角パッド１４を入れることで、ブラジャーと体の間に生じる隙間を埋め、着用時のブラジャー１の位置がずれにくいものとなっている。また、胸の中央が窪んだ漏斗胸の人がブラジャー１を着用する場合にも利用することができる。
【００８４】
また、カップ４は、本体２に縫い付けられており、縫いしろは肌側の面になく、外側に位置している。図３の拡大図に示すように、本体２を形成する布１５がパット部４を形成する布１６に挟みこまれた形で縫製されている。
【００８５】
また、カップ４の上端には、ストラップ５の端部１７が取付けられている。また、端部１７は、カップ４の外側に取付けられている。また、カップ４には、パッドを入れるためのパッドポケット１８が取付けられている。
【００８６】
また、サイドベルト３は、本体２に縫い付けられており、縫いしろは肌側の面になく、外側に位置している。図３の拡大図に示すように、本体２を形成する布１５とサイドドベルト３を形成する布１９が折り伏せ縫いで縫製され、さらに同じ領域を上から縫い付けている。
【００８７】
この本体２とサイドベルト３の縫製領域２０は布が重なった厚みのある構造となり、着用時に胸の肉をおさえ、脇側に流れにくくする役割を果たしている。
【００８８】
ここで、必ずしも、本体２が略中央の領域の内部に間隙を有し、間隙と繋がった切れ目１３が形成される必要はない。但し、カップ４の間にパッドを入れることが可能となり、ブラジャー１の位置がずれにくくなる点から、本体２が略中央の領域の内部に間隙を有し、間隙と繋がった切れ目１３が形成されることが好ましい。
【００８９】
また、必ずしも、切れ目１３は本体２の肌側に形成される必要はなく、本体２の略中央の領域の内部にパッドを入れることができれば充分である。例えば、切れ目１３を本体２の外側に形成した構造も考えられ、その場合には、パッドが外側に位置するため、着用時のごわつきや違和感を少ないものにすることができる。
【００９０】
また、本体２の略中央の領域に形成される切れ目の形状は特に限定されるものではない。縦と横いずれの方向に形成されてもよく、２枚の布が重なった打ち合わせ式構造の入り口部分として切れ目１３が形成されてもよい。
【００９１】
また、本体２の間隙に入れられるパッドの大きさや形状は特に限定されるものではなく、間隙に入れることが可能で、着用時にごわつきや違和感が少ないものであれば充分である。
【００９２】
また、本体２とカップ４の縫製領域は、縫いしろが肌側の面に存在せず、外側に位置していれば充分である。図３の拡大図で示した、本体２を形成する布１５がパット部４を形成する布１６に挟みこまれた形で縫製された形状に限定されるものではない。
【００９３】
また、必ずしも、ストラップ５の端部１７がカップ４の外側に取付けられる必要はない。但し、ストラップの取付け部分が肌に直接触れなくなり、刺激や痛みが生じにくくなる点から、ストラップ５の端部１７がカップ４の外側に取付けられることが好ましい。
【００９４】
また、必ずしも、カップ４にパッドを入れるためのパッドポケット１８が取付けられる必要はない。但し、パッドを入れて胸の形をより美しく見せることができる点、及び、着用感を調節することが可能となる点から、カップ４にパッドを入れるためのパッドポケット１８が取付けられることが好ましい。
【００９５】
また、カップ４へのパッドポケットの取付け方は特に限定されるものではない。例えば、パッドが脇側から横に挿入される形状にポケットを取付けることも可能である。
【００９６】
また、図３には示していないが、ガーゼを挟むことができるポケットをカップ４に設けることもできる。胸の皮膚に薬を付ける際に、ガーゼに薬を染み込ませてポケットに挟むことで、より効果的に薬を皮膚に作用させることができる。
【００９７】
また、本体２とサイドベルト３の縫製領域２０は、縫いしろが肌側の面に存在せず、外側に位置していれば充分である。図３の拡大図で示した、本体２を形成する布１５とサイドドベルト３を形成する布１９が折り伏せ縫いで縫製され、さらに同じ領域を上から縫い付けた形状に限定されるものではない。
【００９８】
また、必ずしも、本体２とサイドベルト３の縫製領域２０が折り伏せ縫いで縫製され、さらに同じ領域を上から縫い付けられる必要はない。但し、従来のブラジャーのボーンを取付ける必要がなくなり、刺激や痛みが生じにくくなる点、及び、胸の形が崩れにくくなる点から、本体２とサイドベルト３の縫製領域２０が折り伏せ縫いで縫製され、さらに同じ領域を上から縫い付けられることが好ましい。
【００９９】
図４には、本体２と着用者の胸を包み込むカップ４の外側の構造を示している。本体２の下端には、ブラジャー１を体にしっかりと装着させるために、ゴム１２が取付けられている。なお、ゴム１２は、サイドベルトの下端に取付けられたゴム９と一体化したものとして取付けることも可能である。
【０１００】
また、左右のカップ４にはそれぞれ、リボン２１の一端４５が取付けられ、リボン２１の他端同士を結ぶことで、本体２の略中央の領域で結び目を形成することができるものとなっている。リボン２１の結び目を調節することで、カップ４を中央方向に引っ張り、胸の開き具合に合わせてカップ４の位置を調節することができる。
【０１０１】
また、カップ４の外側には、ストラップ５の端部１７の取付け部分として、ストラップタブ２２が取付けられている。ストラップタブ２２とストラップの端部に付けられた丸環２３によって、ストラップ５はカップ４に固定されている。
【０１０２】
ここで、必ずしも、左右のカップ４にリボン２１の一端４５が取付けられる必要はない。但し、結び目によりカップ４の位置を調節し、個人差のある旨の開き具合に合わせた着用が可能となり、着心地をより快適なものにできる点から、左右のカップ４にリボン２１の一端４５が取付けられることが好ましい。
【０１０３】
また、胸の開き具合を調節するための構造は、左右のカップ４にリボン２１の一端４５が取付けられた形状に限定されるものではない。例えば、リボン２１の取付け位置を本体２の下端にすることもできる。
【０１０４】
また、さらに別の例として、リボン２１を設けると共に、本体２の略中央部分に環状のリング（図示せず）を取付け、リボン通し部として利用することもできる。また、リボンの他端は結ばずに、環状のリングを通した後、固定部（図示せず）に固定する。リボン通し部により、リボン２１をたるみなくカップ４を中央方向に向けて引っ張ることが可能となる。
【０１０５】
また、必ずしも、ストラップ５の端部１７の取付け部分として、ストラップタブ２２及び丸環２３が採用される必要はない。ストラップを固定できれば充分であり、端部１７を直接縫い付ける構造とされてもよい。但し、端部１７を縫合して取付ける際には、肌への刺激を少なくする点から、縫い付け位置がサイドベルト３の外側とされることが好ましい。
【０１０６】
図５には、ストラップ５の構造を示している。ストラップ５は、ゴム紐２５とゴム紐２５をくるむ綿ジャージ２６で構成されている。ストラップ５は肩にかけられ、ゴムの伸縮力により、ブラジャー１を体にしっかりと装着させるものとなっている。また、綿ジャージ２６は、肌感触性がよく、かつ、伸縮性を有する素材である。
【０１０７】
また、ストラップ５は、綿ジャージ２６の繊維の伸縮性が高い方向とゴム紐２５が伸縮する方向を一致させて形成されている。また、ストラップ５は、アジャスター（図示せず）を設けて、着用時に長さの調節が可能な構造とすることもできる。
【０１０８】
綿ジャージ２６によりゴム紐２５は全体を覆われているが、綿ジャージ２６の縫い合わせの位置の例を図５（ａ）及び図５（ｂ）に示している。なお、図５（ａ）及び図５（ｂ）に示す矢印Ｘは、綿ジャージ２６の繊維の伸縮性が高い方向とゴム紐２５が伸縮する方向を示したものである。
【０１０９】
図５（ａ）では、縫い合わせ位置２７が綿ジャージの内側にあり、一方、図５（ｂ）では、縫い合わせ位置２７が外側に形成されている。ゴム紐２５が綿ジャージ２６により覆われる構造となれば、いずれを採用してもよいが、縫い合わせ位置２７が肩の皮膚により接触しにくくなる点から、図５（ａ）に示す、縫い合わせ位置２７が綿ジャージの内側にある方がより好ましい。
【０１１０】
ここで、必ずしも、ゴム紐２５を覆う素材は綿ジャージ２６に限定されるものではない。但し、刺激や痛みが生じにくくなる点、及び、ゴム紐の伸縮力が損なわれにくく装着性が向上する点から、ゴム紐２５を覆う素材は綿ジャージ２６が用いられることが好ましい。
【０１１１】
また、必ずしも、ストラップ５は、綿ジャージ２６の繊維の伸縮性が高い方向とゴム紐２５が伸縮する方向を一致させて形成される必要はない。但し、より一層ゴム紐の伸縮力が損なわれにくく装着性が向上する点から、ストラップ５は、綿ジャージ２６の繊維の伸縮性が高い方向とゴム紐２５が伸縮する方向を一致させて形成されることが好ましい。
【０１１２】
図６には、カップ４の中の芯となる芯パットの構造を示している。図６（ａ）に示した芯パット２８は、３つの布を縫い合わせて中央部分が膨出した形状となっている。また、図６（ｂ）に示した芯パット２９は、外周を縫って、ギャザー４６を設けることで、中央部分が膨出した形状となっている。
【０１１３】
芯パット２８や芯パット２９は、立体的な構造を有していることから、カップ４で胸を包み込む際にも、胸の形をきれいに保ち、形が崩れにくくすることができる。また、芯パット２８や芯パット２９はポリエステル、不織布及びポリウレタンを用いて形成することができる。
【０１１４】
ここで、必ずしも、カップ４が、芯材として中央部分が膨出した芯パットを有する必要はない。但し、ワイヤーを使うことなく、胸の形をきれいに整えることが可能になる点から、カップ４が、芯材として中央部分が膨出した芯パットを有することが好ましい。
【０１１５】
また、芯材パットの構造は、３つの布を縫い合わせたものや、外周を縫って、ギャザー４６を設けたものに限定されるものではなく、中央部分が外側に向け膨出した立体的な構造になれば充分である。例えば、縫い合わせる布の枚数を変え、より胸の形に合わせた形状にすることもできる。
【０１１６】
図７では、ブラジャー１のゴムの縫い付け構造について示している。ブラジャー１では、本体２の下端にゴム１２と、サイドベルト３にゴム９がそれぞれ取付けられている。ここでは、本体２及びサイドベルト３の布の部分を布４１、ゴムの部分をゴム４２として、まとめた形で説明する。
【０１１７】
図７（ａ）には、布４１に直接ゴム４２を縫い付ける構造を示している。布４１の肌側の面に三点ジグザグ縫いでゴム４２が縫い付けられている。そして、ゴム４２が付いた領域が外側に位置するように折り返し、折り返した状態でさらに布４１に縫い合わせる。
【０１１８】
また、ゴム４２を布４１に縫い付けて固定する前に、折り返した状態で三点ジグザグ縫いにより縫い付けることもできる。こうすることで、縫い付ける工程数を減らすことができ、効率よく製造することが可能となる。
【０１１９】
また、ゴム４２は、布４１の図７（ａ）で示した位置とは反対側の面に縫い付け、ゴム４２が付いた領域を布４１で挟むように折り返し、折り返した状態でさらに布４１に縫い付けた構造とすることもできる。この方法は、以下で示す図７（ｂ）及び図７（ｃ）でも同様である。
【０１２０】
図７（ａ）に示すように、ゴム４２が外側に位置することで、着用時にゴム４２が肌に直接触れにくくなり、刺激や痛みが生じにくいものとすることができる。
【０１２１】
図７（ｂ）には、ゴム４２を布４３で覆って縫い付ける構造を示している。まず、布４３に三点ジグザグ縫いでゴム４２が縫い付けられる。次に、布４１を折り返した部分にゴム４２を縫い付けた布４３を当て、布４２と布４２を縫い合わせる。
【０１２２】
図７（ｃ）には、布４１に直接ゴム４２を縫い付け、ゴム４２の表面に布４３やレース４４を縫い付ける構造を示している。
【０１２３】
図７（ｃ）では、図７（ａ）で示した構造と同様に、布４１の肌側の面に三点ジグザグ縫いでゴム４２が縫い付けられている。そして、ゴム４２が付いた領域が外側に位置するように折り返し、折り返した状態でさらに布４１に縫い付け、ゴム４２の表面に布４３やレース４４を縫い付けている。
【０１２４】
図７（ｂ）及び図７（ｃ）に示すように、ゴム４２が外側に位置することで、着用時にゴム４２が肌に直接触れにくくなり、刺激や痛みが生じにくいものとすることができる。また、ゴム４２が布４３に覆われ、または、表面に布４３やレース４３が介在することで、万が一、布４１のゴム４２が取付けられた領域が肌側に裏返ってしまった場合でも、ゴム４２が皮膚に直接接することがないため、より一層刺激が生じにくいものとなっている。
【０１２５】
また、図７（ｂ）及び図７（ｃ）に示した構造では、ゴム４２を布４１に対して縫い付ける領域を減らすことができる。即ち、ゴム４２が布４３やレース４４により支持されるため、部分的な縫い付けであっても所望の位置への取付けが可能となる。極端に言えば、ゴム４２の両端のみを布４１に縫い付け、残りの領域は布４３やレース４４によって支持することができる。
【０１２６】
ここで、本体とサイドベルトへのゴムの取付け構造は特に限定されるものではなく、ゴムが肌に直接触れない位置に取付けられていれば充分である。前述した構造は一例を示したものにすぎない。
【０１２７】
また、必ずしも、ゴムが三点ジグザグ縫いで布に縫い付けられる必要はない。但し、ゴムの布への取付けと伸縮力の担保の両方を実現できる点から、ゴムが三点ジグザグ縫いで布に縫い付けられることが好ましい。
【０１２８】
続いて、本発明を適用した下着の他の実施例の構造について、図面を参照しながら説明する。
図８は、本発明を適用した下着の一例の前面を示す概略図（ａ）及び背面を示す概略図（ｂ）である。
【０１２９】
図８（ａ）には、本発明を適用した下着の一例である肌着３０を示している。また、肌着３０は、肌に直接着用する本体３１を有し、本体３１の上に既存のブラジャー３２を着用することができる。
【０１３０】
また、本体３１では、襟ぐり３３、袖ぐり３４、脇線３５及び裾部３６の各部の縫いしろ４７が肌側の面になく、外側に位置している。また、本体３１には、肩にかけるためのストラップ３７を有し、ストラップ３７の両端部が本体３１の外側に縫い付けられている。
【０１３１】
また、ストラップ３７は、ゴム紐とゴム紐をくるむ綿ジャージ４０で構成されている。また、ストラップ３７は、アジャスター（図示せず）を設けて、着用時に長さの調節が可能な構造とすることもできる。
【０１３２】
また、本体３１の胸元の略中央の領域には、裾部に向かって切れ目３８が形成されている。切れ目３８により、本体３１のブラジャー３２と重なる領域の上端部分は、折り返され、ブラジャー３２に沿って、襟のような形状となっている。また、この折り返した領域３９とストラップ３７にホック（図示せず）を設けて、折り返した状態を維持する構造とすることもできる。
【０１３３】
また、図８（ｂ）に示すように、本体３１の背中側には、ブラジャー３２を通すためのベルト通し３９が設けられている。ベルト通し３９により、ブラジャー３２の位置をずれにくくすることができる。
【０１３４】
また、本体３１に切れ目３８が形成されない肌着（図示せず）とすることもできる。この肌着は、ブラジャーの上から着用することができ、本体の各部の縫いしろやストラップによる肌への刺激や痛みが少ないものとなっている。
【０１３５】
ここで、必ずしも、ストラップ３７の両端部が縫い付けて取付けられる必要はない。例えば、前述したブラジャー１のストラップ５のようにストラップタブと丸環により固定する構造も採用できる。
【０１３６】
また、必ずしも、ゴム紐を覆う素材は綿ジャージ４０に限定されるものではない。但し、刺激や痛みが生じにくくなる点、及び、ゴム紐の伸縮力が損なわれにくくなり装着性が向上する点から、ゴム紐を覆う素材は綿ジャージ４０が用いられることが好ましい。
【０１３７】
また、必ずしも、本体３１の胸元の略中央の領域に裾部に向かって切れ目３８が形成される必要はない。但し、上から重ねて着用するブラジャー３２が直接肌に触れにくくなる点、及び、胸元を美しく見せることができる点から、本体３１の胸元の略中央の領域に裾部に向かって切れ目３８が形成されることが好ましい。
【０１３８】
また、必ずしも、本体３１の背中側には、ブラジャー３２を通すためのベルト通し３９が設けられる必要はない。但し、ブラジャー３１の位置を保ち、胸の形が崩れにくくなる点から、本体３１の背中側には、ブラジャー３２を通すためのベルト通し３９が設けられることが好ましい。
【０１３９】
このように、本発明を適用したブラジャーは、カップや本体の縫いしろが肌に直接触れず、刺激や痛みが生じにくいものとなっている。また、ストラップやベルトに用いるゴムが肌に直接触れず、ゴムによる刺激や痛みが生じにくいものとなっている。
【０１４０】
また、ストラップのゴム紐や、本体やベルトに取付けられたゴムの伸縮力が損なわれにくい構造となっているため、体にしっかりと装着できるものとなっている。また、胸の真ん中で結び目を調節可能なテープを設けることで、胸の開き具合にも対応させて装着することができる。
【０１４１】
また、従来品に見られるようなワイヤーやボーンといった痛みの原因となる部材が存在せず、長時間着用した場合にも、違和感や痛みがなく、快適な着心地を保つことができる。さらに、本体の真ん中に設けた三角パットを入れる領域、立体的な形状のパット及び折り伏せ縫いで縫製した領域が設けられることで、下着の位置がずれにくく、補正効果を充分に有するものとなっている。
【０１４２】
また、本発明を適用したブラジャーは肌に触れる部分は肌感触性がよい素材、例えばオーガニックコットンで形成されるため、より肌への刺激が少なく、快適な着心地となっている。また、肌に直接触れない領域には、コットン以外の素材で形成することができる。これにより、ブラジャーの外側の意匠性を高めることができる。また、オーガニックコットンのみで形成した場合の布のよれを少ないものにすることができる。
【０１４３】
また、本発明を適用した肌着は、本体の縫いしろが肌に直接触れず、刺激や痛みが生じにくいものとなっている。また、ストラップに用いるゴムが肌に直接触れず、ゴムによる刺激や痛みが生じにくいものとなっている。
【０１４４】
また、本発明を適用した肌着は、既存のブラジャーと併せて着用することができる。ブラジャーの下に肌着を着用する場合には、皮膚への刺激が少なく、好みのデザインのブラジャーを着用することが可能となる。
【０１４５】
以上のように、本発明を適用した下着は肌への刺激が少なく、かつ、着用時にずれにくく快適な着心地の下着となっている。
【符号の説明】
【０１４６】
１      ブラジャー
２      本体
３      サイドベルト
４      カップ
５      ストラップ
６      雄型フック
７      端部
８      山形の布部
９      ゴム
１０      ストラップタブ
１１      丸環
１２      ゴム
１３      切れ目
１４      三角パッド
１５      布
１６      布
１７      端部
１８      パッドポケット
１９      布
２０      縫製領域
２１      リボン
２２      ストラップタブ
２３      丸環
２４      端部
２５      ゴム紐
２６      綿ジャージ
２７      縫い合わせ位置
２８      芯パット
２９      芯パット
３０      肌着
３１      本体
３２      既存のブラジャー
３３      襟ぐり
３４      袖ぐり
３５      脇線
３６      裾部
３７      ストラップ
３８      切れ目
３９      ベルト通し
４０      綿ジャージ
４１      布
４２      ゴム
４３      布
４４      レース
４５      リボンの一端
４６      ギャザー
４７      縫いしろ
矢印Ｘ      綿ジャージの繊維の伸縮性が高い方向とゴム紐が伸縮する方向
【図１】
2014181412.tif 000003
【図２】
2014181412.tif 000004
【図３】
2014181412.tif 000005
【図４】
2014181412.tif 000006
【図５】
2014181412.tif 000007
【図６】
2014181412.tif 000008
【図７】
2014181412.tif 000009
【図８】
2014181412.tif 000010
【図９】
2014181412.tif 000011